(57)【要約】    【課題】      文字入力の際のキー入力操作間隔を考慮して、一定時間以上操作間隔が空いた場合、又は、異なる文字入力に移行した場合に、保持した入力文字に対応する音声を発音するようにして、ユーザが確認する必要のある文字のみ音声を発音する携帯型端末装置を提供すること。    【解決手段】  一定時間以内に、同一キー入力により他の文字が連続して入力されると、文字選択決定部２０１は、現在候補記憶部２０２の記憶内容を更新し、更新した候補文字を表示文字として表示制御部２０４に出力して液晶表示部１０３に表示する。この時、表示した候補文字に対する音声再生は行わない。キー入力なしに一定時間が経過すると、文字選択決定部２０１は、現在候補記憶部２０２に記憶した現在の候補文字を読み出して確定文字として読上げ判定部２０６に出力して、音声合成部２０７により確定文字に対応する音声を音声再生部１０５により再生する。  【選択図】      図２
2005135301.tif 000002
【特許請求の範囲】
【請求項１】
複数の文字入力を兼用する数値キーを複数配置した入力部を備えた携帯型端末装置において、
前記数値キーにより文字が入力される毎に該入力文字を候補文字として記憶する候補文字記憶手段と、
前記数値キーにより文字が入力される毎に一定時間を計時する計時手段と、
前記文字入力から前記一定時間が経過したか否かを判別する入力文字判別手段と、
前記入力文字判別手段により、前記文字入力から前記一定時間が経過したと判別された場合、当該文字入力時に前記候補文字記憶手段に記憶された候補文字に対応する音声を出力する音声出力手段と、
を具備することを特徴とする携帯型端末装置。
【請求項２】
前記入力文字判別手段は、前記一定時間が経過する前に、同一の数値キー又は異なる数値キーにより次の文字が入力されたか否かを判別し、
前記音声出力手段は、前記入力文字判別手段により、前記一定時間が経過する前に異なる数値キーにより次の文字が入力されたと判別された場合、前回の文字入力時に前記候補文字記憶手段に記憶された候補文字に対応する音声を出力することを特徴とする請求項１記載の携帯型端末装置。
【発明の詳細な説明】
【技術分野】
【０００１】
本発明は、キー入力機能を備えた携帯型端末装置に関する。
【背景技術】
【０００２】
従来、キー入力機能を備えた携帯端末装置において、キー操作した内容を音声で出力する装置として、例えば、特許文献１に記載された移動体通信端末装置が提案されている。この移動体通信端末装置では、液晶ディスプレイに表示されたキー入力内容を音声によってスピーカ又はイヤホンから案内する機能を備えており、キー操作時に、液晶ディスプレイにキー入力内容が表示されると同時に音声によってもキー入力内容を発音して使用者をガイドするようにしている。
【０００３】
また、特許文献２に記載されたボタン電話端末システムでは、ボタン電話端末で入力したダイヤル番号に対応した音声を出力する機能を搭載して、入力したダイヤル番号を音声で確認できるようにして、誤入力を防止している。
【特許文献１】特開平７−３２１８８９号公報
【特許文献２】特開２００１−１１９４６８号公報
【発明の開示】
【発明が解決しようとする課題】
【０００４】
しかしながら、上記従来の特許文献１に記載された移動体通信端末装置では、液晶ディスプレイにキー入力内容が表示されると同時に音声によってもキー入力内容を発音するようにしたため、内容が確定していないキー入力内容も常に発音されることになり、却って入力ミスを招く恐れがある。
【０００５】
すなわち、移動体通信端末装置の場合、その構成上の制約により数字キーと文字キーを兼用するキーが配置され、文字を入力する場合は、同じキーを何回も操作して目的の文字に到達するため、このキー操作の間には、確定される前の文字も表示部に常に表示され、特許文献１の場合は確定前の文字も常に発音されることになり、使用者にとっては発音が却って邪魔になり、発音機能を有効利用することができない。
【０００６】
また、上記従来の特許文献２に記載されたボタン電話端末システムでは、入力したダイヤル番号を音声で確認できるようにしているが、携帯端末装置のような文字入力キーの音声出力には対応しておらず、また、文字入力キーの操作に対応して音声を発音させたとしても、上記特許文献１と同様の問題がある。
【０００７】
本発明はかかる点に鑑みてなされたものであり、文字入力の際のキー入力操作間隔を考慮して、一定時間以上操作間隔が空いた場合、又は、異なる文字入力に移行した場合に、保持した入力文字に対応する音声を発音するようにして、ユーザが確認する必要のある文字のみ音声を発音する携帯型端末装置を提供することを目的とする。
【課題を解決するための手段】
【０００８】
本発明の携帯型端末装置は、複数の文字入力を兼用する数値キーを複数配置した入力部を備えた携帯型端末装置において、前記数値キーにより文字が入力される毎に該入力文字を候補文字として記憶する候補文字記憶手段と、前記数値キーにより文字が入力される毎に一定時間を計時する計時手段と、前記文字入力から前記一定時間が経過したか否かを判別する入力文字判別手段と、前記入力文字判別手段により、前記文字入力から前記一定時間が経過したと判別された場合、当該文字入力時に前記候補文字記憶手段に記憶された候補文字に対応する音声を出力する音声出力手段と、を具備する構成を採る。
【０００９】
この構成によれば、文字入力を確定したい（次の文字の入力を開始しようとした瞬間）という状況で音声を出力することができ、入力における文字単位の誤りがあった場合に直ちに気づかせることができ、文字入力精度を向上させることができる。
【００１０】
本発明の携帯型端末装置は、請求項１記載の携帯型端末装置において、前記入力文字判別手段は、前記一定時間が経過する前に、同一の数値キー又は異なる数値キーにより次の文字が入力されたか否かを判別し、前記音声出力手段は、前記入力文字判別手段により、前記一定時間が経過する前に異なる数値キーにより次の文字が入力されたと判別された場合、前回の文字入力時に前記候補文字記憶手段に記憶された候補文字に対応する音声を出力する構成を採る。
【００１１】
この構成によれば、目的の文字入力が確定したところで音声を出力することができ、入力における文字単位の誤りがあった場合に直ちに気づかせることができ、文字入力精度を向上させることができる。
【発明の効果】
【００１２】
本発明によれば、目的の入力文字を確定させるのとほぼ同時に音声を出力することができ、入力における文字単位の誤りがあった場合に直ちに気づかせることができ、文字入力精度を向上させることができる。
【発明を実施するための最良の形態】
【００１３】
本発明の骨子は、文字入力の際のキー入力操作間隔を考慮して、一定時間以上操作間隔が空いた場合、又は、異なる文字入力に移行した場合に、保持した入力文字に対応する音声を発音するようにして、目的の入力文字に対して確実に音声を発音することである。
【００１４】
以下、本発明の一実施の形態について図面を参照して詳細に説明する。
【００１５】
図１は、本実施の形態に係る携帯電話装置の外観を示す図である。図１において、携帯電話装置１００は、無線信号を送受信するアンテナ１０１と、受信音声及び入力文字に対応する音声を再生する音声再生部１０５と、キー入力に対応する文字列を表示する液晶表示部１０３と、複数の文字入力を兼用する数値キー０〜９、＊キー及び＃キーを配置したキー入力部１０４と、送信音声を入力する音声入力部１０２とから構成されている。キー入力部１０４は、ユーザにより数値キー０〜９、＊キー及び＃キーが操作されると、そのキー入力に応じたキー入力情報（数値０〜９または記号＊または＃）を図２の文字選択決定部２０１とタイマ部２０５に出力する。
【００１６】
図２は、図１の携帯電話装置１００内部の要部構成を示すブロック図である。図２において、携帯電話装置１００は、文字選択決定部２０１と、現在候補記憶部２０２と、入力文字列記憶部２０３と、表示制御部２０４と、タイマ部２０５と、読上げ判定部２０６と、音声合成部２０７とから主に構成されている。
【００１７】
文字選択決定部２０１は、キー入力部１０４からキー入力操作に応じたキー入力情報が入力されると、そのキー入力情報に対応した第一の文字を現在の候補文字として現在候補記憶部２０２に記憶し、キー入力操作が連続して行われて対応するキー入力情報が連続して入力される場合は、前回のキー入力情報と、今回入力されたキー入力情報とが同一か否かを判定し、同一と判定した場合は、入力されたキー入力情報に対応した第二の文字を新たな現在の候補文字として現在候補記憶部２０２の記憶内容を更新し、異なると判定した場合に、現在候補記憶部２０２に記憶した現在の候補文字を読み出して確定文字として入力文字列記憶部２０３と読上げ判定部２０６に出力する。
【００１８】
現在候補記憶部２０２は、文字選択決定部２０１により文字情報が入力される毎に、現在の候補文字として記憶されるメモリであり、記憶した現在の文字候補を表示文字として表示制御部２０４に出力する。入力文字列記憶部２０３は、文字選択決定部２０１により確定文字が記憶されるメモリであり、記憶された確定文字を表示制御部２０４に出力する。表示制御部２０４は、現在候補記憶部２０２から入力される表示文字、及び入力文字列記憶部２０３から入力される確定文字を液晶表示部１０３に出力して、キー入力操作に対応した文字を表示する。
【００１９】
タイマ部２０５は、キー入力部１０４からキー入力情報が入力される毎に一定時間を計時するタイマであり、一定時間が経過するとタイムアップ信号を読上げ判定部２０６に出力する。また、タイマ部２０５は、計時途中に、キー入力部１０４から次の文字情報が入力されると、その計時をリセットして新たに計時を開始する。
【００２０】
読上げ判定部２０６は、タイマ部２０５からタイムアップ信号が入力されると、現在候補記憶部２０２から現在の文字候補を取得して音声合成部２０７に出力し、また、文字選択決定部２０１から確定文字が入力されると、その確定文字を音声合成部２０７に出力する。音声合成部２０７は、読上げ判定部２０６から入力された現在の文字候補及び確定文字を音声データに変換して音声再生部１０５に出力して、文字候補及び確定文字に対応する音声を再生する。
【００２１】
次に、上記図２に示した携帯電話装置１００内部の動作の具体例について、図３を参照して説明する。図３は、各動作の遷移状態を示した図である。まず、キー入力部１０４のキー入力操作を待ち（Ｓ３０１）、キー入力操作が行われると、状態Ｓ３０２に遷移し、文字選択決定部２０１は、入力された候補文字を現在候補記憶部２０２に記憶し、現在候補記憶部２０２は記憶した現在の候補文字を表示文字として表示制御部２０４に出力して液晶表示部１０３に表示し、キー入力操作後の一定時間、この場合、４００ｍｓｅｃ未満の経過を計時するタイマ部２０５を起動する。
【００２２】
この状態Ｓ３０２において、別のキー入力により他の文字が入力されると、文字選択決定部２０１は、現在候補記憶部２０２に記憶した現在の候補文字を読み出して確定文字として読上げ判定部２０６に出力する。読上げ判定部２０６は、文字選択決定部２０１から入力された確定文字を音声合成部２０７に出力して、確定文字に対応する音声を音声再生部１０５により再生する。また、この時、別のキー入力により新たに入力された文字により現在候補記憶部２０２の記憶内容を更新し、更新した候補文字を表示文字として表示制御部２０４に出力して液晶表示部１０３に表示する。
【００２３】
また、状態Ｓ３０２において、同一キー入力により他の文字が入力されると、現在候補記憶部２０２の記憶内容を更新し、更新した候補文字を表示文字として表示制御部２０４に出力して液晶表示部１０３に表示する。この時、表示した候補文字に対する音声再生は行わない。また、状態Ｓ３０２において、キー入力なしに４００ｍｓｅｃが経過すると、状態Ｓ３０３に遷移するとともに、文字選択決定部２０１は、現在候補記憶部２０２に記憶した現在の候補文字を読み出して確定文字として読上げ判定部２０６に出力する。読上げ判定部２０６は、文字選択決定部２０１から入力された確定文字を音声合成部２０７に出力して、確定文字に対応する音声を音声再生部１０５により再生する。
【００２４】
状態Ｓ３０３は、現在の候補文字を表示してから４００ｍｓｅｃ以上経過した状態を表している。この状態において、直前のキーと同一のキーが入力されると、状態Ｓ３０２に遷移して、タイマ部２０５をリセットして計時を再開するとともに、現在候補記憶部２０２の記憶内容を更新し、更新した候補文字を表示文字として表示制御部２０４に出力して液晶表示部１０３に表示する。また、状態Ｓ３０３において、別のキーが入力されると、状態Ｓ３０２に遷移して、タイマ部２０５をリセットして計時を再開するとともに、文字選択決定部２０１は、現在候補記憶部２０２に記憶した現在の候補文字を読み出して確定文字として読上げ判定部２０６に出力する。読上げ判定部２０６は、文字選択決定部２０１から入力された確定文字を音声合成部２０７に出力して、確定文字に対応する音声を音声再生部１０５により再生する。また、この時、別のキー入力により新たに入力された文字により現在候補記憶部２０２の記憶内容を更新し、更新した候補文字を表示文字として表示制御部２０４に出力して液晶表示部１０３に表示する。
【００２５】
以上のように、本実施の形態の携帯電話装置１００内部では、動作状態が遷移する。次に、キー入力操作と、文字表示と、音声出力との対応関係の具体例について、図４〜図６を参照して説明する。
【００２６】
図４は、キー入力から４００ｍｓｅｃ以上経過して音声出力する場合を示す図である。図４において、図１の数値キー「１」が１回押下されると、液晶表示部１０３には「あ」が表示される。次いで、４００ｍｓｅｃ経過する前に、同一の数値キー「１」が押下されると、液晶表示部１０３には「い」が表示される。続いて、４００ｍｓｅｃ経過する前に、同一の数値キー「１」が押下されると、液晶表示部１０３には「う」が表示され、このまま４００ｍｓｅｃ以上経過すると、現在の候補文字「う」に対応する音声が再生される。この場合、１回目と２回目の入力文字「あ」と「い」は、４００ｍｓｅｃ経過する前に次の候補文字へと変わったため、音声出力は行われず、ユーザが操作を止めた時点の候補文字「う」のみの音声が再生される。
【００２７】
図５は、４００ｍｓｅｃ以上経過しても同一の数値キーを押下すれば次の候補文字が表示される場合を示す図である。図５において、図１の数値キー「１」が１回押下されると、液晶表示部１０３には「あ」が表示される。次いで、４００ｍｓｅｃ経過する前に、同一の数値キー「１」が押下されると、液晶表示部１０３には「い」が表示され、この状態で４００ｍｓｅｃ以上経過すると、候補文字「い」に対応する音声が再生される。続いて、同一の数値キー「１」が押下されると、液晶表示部１０３には次の候補文字「う」が表示される。この場合、ユーザが「う」の入力を意図しているにも関わらず、２回の押下で止めてしまった場合でも、もう一度数値キー「１」を押下すれば、目的の文字「う」を候補文字とすることができる。
【００２８】
図６は、４００ｍｓｅｃ以上経過しなくても別のキーを押下すれば、現在の候補文字が確定し、その確定文字が音声出力される場合を示す図である。図５において、図１の数値キー「１」が１回押下されると、液晶表示部１０３には「あ」が表示される。次いで、４００ｍｓｅｃ経過する前に、同一の数値キー「１」が押下されると、液晶表示部１０３には「い」が表示される。続いて、４００ｍｓｅｃ経過する前に、別の数値キー「２」が押下されると、「い」が確定して「い」に対応する音声が再生され、液晶表示部１０３には「いか」が表示される。この場合、４００ｍｓｅｃ以上経過しなくても別のキーを押下すれば、現在の候補文字を確定して音声再生で確認することができ、次の候補文字「か」も表示により確認することができる。
【００２９】
以上のように、本実施の形態の携帯電話装置１００によれば、ユーザが文字入力を確定しようとするとき（次の文字入力を開始しようとした瞬間）に、確定した文字の音声が再生されるので、入力中に文字単位で誤りが発生した場合に直ちに気づくことができ、文字入力精度を向上させることができる。また、ゆっくりとした入力間隔で入力キーを操作することにより、入力内容を音声で確かめながら確実に文字入力を実行することもできる。
【００３０】
また、同一キー入力を複数回繰り返して目的の文字を入力する場合、どこまで入力したか分からなくなることがあるが、この場合、入力操作を止めることにより、現在の候補文字を音声で確認できるため、ユーザはキー入力部から表示部に視線を移動させることなく迅速な文字入力操作を実行することができる。さらに、誤った文字を入力したまま次の文字を入力し始めてしまったとき、その時点で誤った入力文字が音声で再生されるため、ユーザは誤入力に直ちに気づくことができ、漢字変換時等の文字入力操作時に無駄な操作を減らすことができる。
【００３１】
なお、上記実施の形態では、本発明を携帯電話装置に適用した場合を説明したが、本発明の適用はこれに限るものではなく、複数の文字入力を兼用する数値キーを複数配置した入力部を備えた携帯型情報端末装置等に対しても適用可能である。また、上記実施の形態において、タイマ部に設定した一定時間は、４００ｍｓｅｃに限るものではなく、ユーザの使用状況を考慮して適宜変更してもよい。また、上記の実施の形態では、文字入力操作と再生音声との対応について説明したが、例えば、再生音声としてキャラクタや有名人等の特徴のある音声をサンプリングして用いるようにしてもよい。この場合、ユーザの文字入力環境を更に改善することができる。
【産業上の利用可能性】
【００３２】
本発明は、複数の文字入力を兼用する数値キーを複数配置した入力部を備えた携帯型端末装置において、文字入力の操作性を改善する音声出力機能を実現することである。
【図面の簡単な説明】
【００３３】
【図１】本発明の一実施の形態に係る携帯電話装置の外観を示す図
【図２】本実施の形態の携帯電話装置内部の要部構成を示すブロック図
【図３】本実施の形態の携帯電話装置内部の動作の具体例を示す図
【図４】本実施の形態の携帯電話装置における文字入力と音声出力の対応関係の一例を示す図
【図５】本実施の形態の携帯電話装置における文字入力と音声出力の対応関係の他の例を示す図
【図６】本実施の形態の携帯電話装置における文字入力と音声出力の対応関係の他の例を示す図
【符号の説明】
【００３４】
１００  携帯電話装置
１０１  アンテナ
１０２  音声入力部
１０３  液晶表示部
１０４  キー入力部
１０５  音声再生部
２０１  文字選択決定部
２０２  現在候補記憶部
２０３  入力文字列記憶部
２０４  表示制御部
２０５  タイマ部
２０６  読上げ判定部
２０７  音声合成部
【図１】
2005135301.tif 000003
【図２】
2005135301.tif 000004
【図３】
2005135301.tif 000005
【図４】
2005135301.tif 000006
【図５】
2005135301.tif 000007
【図６】
2005135301.tif 000008